(57)【特許請求の範囲】
【請求項１】
配電盤（1）のスイッチのつまみ（2）に、Ｔ型キャップ（3）を設け、該Ｔキャップ（3）に磁石に反応しない鎖（7）の一端部を設け、他端部を磁石（11）に設け、磁石に反応しないシリンダ（15）に磁石（11）をスライド自在に嵌め、該磁石（11）を電磁石（12）の下部に設け、鉄製の振子（9）に鎖（7）を設け、該振子（9）の上部にフック（5）を設け、該鎖（7）の長さを選択し、該フック（5）に掛け、該振子（9）の移動範囲を設定可能にし、該振子（9）の右側と後方にプッシュ式のスイッチ（19）とスイッチ（20）を載せて其々に設け、アダプター（16）から該スイッチ（19）と該電磁石（12）に配線（17）を設け、該振子（9）の右側と後方に離れて磁石（10）を設け、地震により該振子（9）が磁石（10）に吸着し、同時にプッシュボタン（19）を該磁石（10）に吸着させてスイッチ（19）をオンにし、電力を該電磁石（12）に通電し、磁気を発生させ、該磁石（11）と該電磁石（12）の同じ極同士を対応させ反発力で該磁石（11）を切り離し、該磁石（11）の重力で、該スイッチを落す、ベル付きブレーカー遮断器。
【請求項２】
請求項1に記載のスイッチ（20）を該振子（９）の右側と後方に載せて設け、地震により該振子（９）が磁石（１０）に吸着させて、更に、該スイッチ（20）を磁石（10）に吸着させて、該スイッチ（20）をオンにし、アダプター（16）から該スイッチ（20）と充電器（23）と蓄電池（24）とベル（25）とライト（26）に通電し、蓄電池（24）の充電とベル（2５）の鳴動とライト（2６）の点灯を可能にした請求項1のベル付きブレーカー遮断器。
【請求項３】
主幹スイッチがプッシュ式の配電盤（30）に、基板（31）を設け、該基板（31）に支柱（32）を設け、該支柱（32）にスライドスイッチ（36）を設け、該スライドスイッチ（36）のつまみ（2）に横棒（35）を設け、該横棒（35）に鎖（7）を設け、該鎖（7）を該磁石（11）に設け、スライドスイッチ（36）をスイッチ（21）に当圧させて、ブレーカーを遮断する請求項1または 2のベル付きブレーカー遮断器。
【発明の詳細な説明】
【技術分野】
【０００１】
本発明は、震度5以上に設定し、地震時に配電盤のブレーカーを自動的に遮断し、同時にベルを鳴動させ、ライトを数時間点灯可能な、ガスの元栓、水道の元栓、電気の元栓等のベル付きブレーカー遮断器に関するものである。
【背景技術】
【０００２】
日本国は、地震大国につき地震と電気の原因で多くの火災が発生し、多数の人命と膨大な財産が失われる。
従来のブレーカーの遮断は、つまみに紐を掛け一端を錘に掛けて、錘を載置台のせて地震により錘を落下させてブレーカーを遮断させる。錘やプレートに蓄光塗料を付きと。電池による点灯等が公知されている。
【先行技術文献】
【特許文献】
【０００３】
【特許文献１】特開平09−147730
【特許文献２】特開平08―287812
【特許文献３】特公開平10−64401
【発明の概要】
【発明が解決しようとする課題】
【０００４】
（イ）従来のブレーカー遮断器は、設置時に錘を載せる載置台を水平にするのに時間と技術を要する。また、設定ミスにより弱い地震でもブレーカーの遮断が懸念される。
（ロ）蓄光塗料の場合は、照明度が大変に低いので周囲の状況を把握するが難しい。
電池の場合は、定期的に電池交換が必要である。
（ハ）製品が露出されているので、地震時に錘が落下して人に当たる危険性と室内の美観を損ねる。
本発明は、以上の問題点を解決するためになされたものである。
【課題を解決するための手段】
【０００５】
（イ）振子の上部にフックを設け、振子に鎖を設け、鎖の長さを選択し鎖をフックに掛ける。仮に、鎖の長さを短く設定すると振子の移動範囲が縮小して、強震の設定が可能である。逆に鎖の長さを長くすると弱震に設定可能になるので、鎖の長さを選択し鎖をフックに掛けるだけで、震度の設定が簡単である。
【０００６】
（ロ）本発明の照明機構は、配電盤および家庭用の差し込みにアダプダーを設け、アダプダーと充電器とライトとスイッチ（20）等に配線を設けて通電可能にし、充電器に蓄電池を設け、電池切れの際に蓄電池に充電し、常時電力を確保し地震時に備える。
【０００７】
（ハ）本発明は、製品をボックスに収納するので、地震時に錘が落下して人に当たる危険性と室内の美観を損ねる事を解消する。
以上の構成よりなるベル付きブレーカー遮断器。
【発明の効果】
【０００８】
大型地震後の二次災害を防止し、人命と財産を護り。避難時にブレーカーの切り忘れによる電力の無駄を省く。ブレーカー遮断直後に数時間にわたりライトを点灯し、周囲の状況を把握可能にし。ベルの鳴動によりブレーカーの遮断を健常者及び視力障害者等が聴覚で確認ができ、迅速に避難可能。脱出困難時にベルの鳴動で外部に生存を知らせて救助を求める。
【図面の簡単な説明】
【０００９】
【図１】振子が磁石に吸着し、スイッチが落下した状態を示した正面図。
【図２】振子が停止した状態を示した平面図。
【図３】電磁石と磁石が合体した側断面図。
【図４】プッシュ式の配電盤にスライドスイッチを設置した状態を示した側面図。
【発明を実施するための形態】
【００１０】
以下、本発明の実施の形態を説明する。
1・配電盤は、従来のブレーカー遮断器である。
2・つまみは、主幹スイッチ。
3・Ｔ型キャップは、Ｔ型で枡状の空洞部分をつまみ（2）に嵌める。
4・留めネジは、棒型で鎖（7）とＴ型キャップ（3）と磁石（１1）と振子（9）と基板（31）とバンド（35）に設ける。
5・フックは、鉤型で振子（9）の上部に設ける。
6・ナットは、角型でフック（5）に設ける。
7・鎖は、輪を連結した帯状型でＴ型キャップ（3）と磁石（11）と振子（9）の
四隅とフック（5）に設け、磁石に反応しない素材。
8・鉄板は、四角形の振子（9）である。
9・振子は、四角形でプッシュ型のスイッチ四個を載せる。
10・磁石は、四角形で振子（9）から離れて右側と後方のボックスに設ける。
11・磁石は、円柱型で電磁石（12）の下部に設ける。
12・電磁石は、円柱型で鉄心（13）にコイル（14）を設ける。
13・鉄心は、円柱型で磁石（１1）の上部に設ける。
14・コイルは、線状型で鉄心（13）に設ける。
15・シリンダは、筒型で磁石（１1）を嵌める、磁石に反応しない素材。
16・アダプターは、箱型で配電盤（1）か、又は、近くの差し込みに設ける。
17・配線は、線状型でアダプター（16）とスイッチ（19）と電磁石（１２）に設け、更に、アダプター（16）とスイッチ（20）と充電器（23）とベル（25）とライト（26）に設ける。
18・プッシュボタンは、ボタン型でスイッチ（19）、スイッチ（20）スイッチ（21）に設ける。
19・スイッチは、円柱型のプッシュ式で、スイッチ（19）を振子（9）の上に右側と後方に其々に設け、磁石に反応しない素材。
20・スイッチは、円柱型のプッシュ式で、スイッチ（20）を振子（9）の上に右側と後方に其々に設け、磁石に反応しない素材。
21・スイッチは、プッシュ式で配電盤（30）の付属品。
22・スイッチは、スライド式でベルに設ける。
23・充電器は、箱型でボックス（29）に設ける。
24・蓄電池は、円柱型で充電器（23）に設ける。
25・ベルは、箱型でボックス（29）に設ける。
26・ライトは、ラッパー型でボックス（29）に設ける。
27・バンドは、帯状型で配電盤（1）とボックス（29）を連結する。
28・バックルは、箱型でバンド（27）に設ける。
29・ボックスは、箱型でベル付きブレーカー遮断器を収納する。
30・配電盤は、箱型でプッシュスイッチ式の製品。
31・基板は、板状型で配電盤（30）に設ける。
32・支柱は、板状型で基板に設ける。
33・軸は、支柱（32）に設け、スライドスイッチ（36）を支える。
34・腕木は、板状型でボックス（29）に設け。
35・横棒は、円柱型でつまみに設ける。
36・スライドスイッチは、角柱型で先端がＬ型、配電盤（30）に設ける。
37・二枚羽レバーロックは、二枚羽型で板バネ、基板（31）に設ける。
38・レバーは、角柱型で支柱（32）に設ける。
本発明は以上のような構造である。
【実施例】
【００１１】
本発明の通常状態は、配電盤のスイッチが上に上り。電磁石は、磁気不能状態であり、磁石（11）が該電磁石に吸着状態であり。振子は停止状態であり、地震の揺れが前後か又は、左右に揺れて、揺れ方向に従って、振子がいずれか一方の磁石（10）に吸着し、同時にスイッチ（19）とスイッチ（20）が磁石（10）に吸着し、磁石（10）がプッシュボタン当圧して前記両方のスイッチがオンになり、電磁石（12）に通電し、磁気が発性し反発力で磁石（11）が切り放されて、磁石（11）の重力で配電盤のスイッチを下げる。
同時に、上記記載のスイッチ（20）がオンになり、電力がベルとライトに通電されベルの鳴動とライトの点灯。
復帰操作は、磁石（10）から振子を切り離すとベルが停止しライトが消灯し、配電盤のスイッチを上げると自動的に磁石（11）が電磁石（12）に吸着し復帰と設定が完了。
地震により脱出困難時にベルとライトの使用方法、磁石（10）から振子を切り離して一時的に鳴動と点灯停止し、数時間後に救助隊が出動する頃に振子を磁石（10）に吸着と離脱を繰り返して救助を求める。
【符号の説明】
【００１２】
１・配電盤、2・つまみ、3・Ｔ型キャップ、4・留めネジ、5・フック、6・ナット、7・鎖（鎖の図省略）、8・鉄板、9・振子、10・磁石、11・磁石、12・電磁石、13・鉄心、14・コイル、15・シリンダ、16・アダプター、17・配線、18・プッシュボタン、19・スイッチ、20・スイッチ、21・スイッチ、22・スイッチ、23・充電器、24・蓄電池、25・ベル、26・ライト、27・バンド、28・バックル、29・ボックス、30・配電盤、31・基板、32・支柱、33・軸、34・腕木、35・横棒、36・スライドスイッチ、37・二羽レバーロック、38・レバー、
【要約】
【課題】震度設定を容易にし、ブレーカーの遮断と同時にライトの照明を数時間点灯可能にし、ベルの付加により健常者及び視力障害者等が聴覚でブレーカーの遮断を確認し、迅速に避難可能にし、ベルを活用して鳴動で救助を求める。  
本発明は、ベル付きブレーカー遮断器を提供する。
【解決手段】  配電盤のスイッチと磁石（11）を鎖（7）で連結して設け、該磁石にシリンダを設け、鉄製の振子にスイッチ（19）とスイッチ（20）を設け、振子から離れて右側と後方に磁石（10）を設け、アダプター（16）からスイッチ（19）と該電磁石（12）に配線を連結して設け、アダプター（16）からスイッチ（20）と充電器と蓄電池とベルとライトに配線を連結して設けた。
以上の構成よりなるベル付きブレーカー遮断器。
【選択図】    図１【図１】
0005898363.tif 000002
【図２】
0005898363.tif 000003
【図３】
0005898363.tif 000004
【図４】
0005898363.tif 000005